(57)【要約】【課題】  携帯電話やインターネットの利用を不要にし、かつ煩雑な操作をなくして、カスタマーセンタによる適切な応答を可能にする電話受付けシステムおよび電話受付け方法を提供する。【解決手段】  顧客からの電話を受けてセンタの端末３1、…、３nに接続する電話受付けシステムにおいて、顧客の電話番号を順に登録する受付けデータベース１３と、顧客から電話を受けた場合にセンタの受付け端末３1、…、３nが塞がっているとき、この顧客の電話番号を受付けデータベース１３に登録し、受付けデータベース１３に蓄積されている電話番号の中で所定順位になった電話番号の電話に、センタの受付け端末が応答する順位が近づいたことを知らせる音声メッセージを送る電話受付けサーバ１１とを備える。【選択図】  図１
2007201849.tif 000002
【特許請求の範囲】
【請求項１】
顧客からの電話を受けてセンタの端末に接続する電話受付けシステムにおいて、
顧客の電話番号を順に登録する受付け情報記憶手段と、
顧客から電話を受けた場合に前記センタの端末が塞がっているとき、この顧客の電話番号を前記受付け情報記憶手段に登録し、前記受付け情報記憶手段に蓄積されている電話番号の中で所定順位になった電話番号の電話に、前記センタの端末が応答する順位が近づいたことを知らせる音声メッセージを送る電話受付け手段と、
を備えることを特徴とする電話受付けシステム。
【請求項２】
前記電話受付け手段は、前記音声メッセージを送った電話を前記センタの空いた端末に接続することを特徴とする請求項１に記載の電話受付けシステム。
【請求項３】
顧客からの電話を受けてセンタの端末に接続する電話受付けシステムにおいて、
前記センタの端末が優先して応答する優先応答の顧客を記録している顧客情報記憶手段と、
顧客の電話番号を順に登録する受付け情報記憶手段と、
顧客から電話を受けた場合に前記センタの端末が塞がっているとき、この顧客の電話番号を前記受付け情報記憶手段に登録する際に、前記顧客情報記憶手段を検索してこの顧客が優先応答する顧客かどうかを判断し、優先応答の顧客であると前記受付け情報記憶手段の順位の上位にこの顧客の電話番号を登録する電話受付け手段と、
を備えることを特徴とする電話受付けシステム。
【請求項４】
顧客からの電話を受けてセンタの端末に接続する電話受付けシステムにおいて、
顧客の電話番号と電話の回数とを順に登録する受付け情報記憶手段と、
顧客から電話を受けた場合に前記センタの端末が塞がっているとき、この顧客の電話番号と電話の回数とを前記受付け情報記憶手段に登録する際に、前記受付け情報記憶手段を検索してこの顧客が所定回数以上電話をしたかどうかを判断し、所定回数以上電話をしていると前記受付け情報記憶手段の順位の上位にこの顧客の電話番号を繰り上げて登録する電話受付け手段と、
を備えることを特徴とする電話受付けシステム。
【請求項５】
顧客からの電話を受けてセンタの端末に接続すると共に、配電自動化システムからの事故情報を受け取る電話受付けシステムにおいて、
顧客の電話番号を順に登録する受付け情報記憶手段と、
顧客の電話番号および住所を記憶している顧客情報記憶手段と、
顧客から電話を受けた場合に前記センタの端末が塞がっているとき、この顧客の電話番号を前記受付け情報記憶手段に登録する際に、この顧客の電話番号から前記顧客情報記憶手段を検索して得た住所から、前記配電自動化システムから受け取った事故情報に含まれる停電地域の顧客かどうかを判断し、この停電地域の顧客であると、前記受付け情報記憶手段の順位の上位にこの顧客の電話番号を登録する電話受付け手段と、
を備えることを特徴とする電話受付けシステム。
【請求項６】
顧客からの電話を受けてセンタの端末に接続すると共に、配電自動化システムからの事故情報を受け取る電話受付けシステムにおいて、
顧客の電話番号と電話の回数とを順に登録する受付け情報記憶手段と、
顧客の電話番号および住所を記憶し、かつ、前記センタの端末が優先して応答する優先応答の顧客を記録している顧客情報記憶手段と、
顧客から電話を受けた場合に前記センタの端末が塞がっているとき、この顧客の電話番号を前記受付け情報記憶手段に登録する際に、前記受付け情報記憶手段を検索してこの顧客が所定回数以上電話をしたかどうかを判断し、所定回数以上電話をしていると前記受付け情報記憶手段の順位の上位にこの顧客の電話番号を繰り上げて登録し、前記顧客情報記憶手段を検索してこの顧客が優先応答する顧客かどうかを判断し、優先応答の顧客であると前記受付け情報記憶手段の順位の上位にこの顧客の電話番号を登録し、この顧客の電話番号から前記顧客情報記憶手段を検索して得た住所から、前記配電自動化システムから受け取った事故情報に含まれる停電地域の顧客かどうかを判断し、この停電地域の顧客であると、前記受付け情報記憶手段の順位の上位にこの顧客の電話番号を登録する電話受付け手段と、
を備え、
前記電話受付け手段には、顧客の電話番号を順位の上位に登録する際に、どの顧客を優先して登録するかがあらかじめ設定されていることを特徴とする電話受付けシステム。
【請求項７】
前記電話受付け手段は、前記受付け情報記憶手段に蓄積されている電話番号の中で所定順位になった電話番号の電話に、前記センタの端末が応答する順位が近づいたことを知らせる音声メッセージを送ることを特徴とする請求項３〜６のいずれか１項に記載の電話受付けシステム。
【請求項８】
前記電話受付け手段は、前記音声メッセージを送った電話を前記センタの空いた端末に接続することを特徴とする請求項７に記載の電話受付けシステム。
【請求項９】
顧客からの電話を受けてセンタの端末に接続する電話受付け方法において、
顧客から電話を受けた場合に前記センタの端末が塞がっているとき、この顧客の電話番号を順に登録し、
登録した電話番号の中で所定順位になった電話番号の電話に、前記センタの端末が応答する順位が近づいたことを知らせる音声メッセージを送る、
ことを特徴とする電話受付け方法。
【請求項１０】
顧客からの電話を受けてセンタの端末に接続する電話受付け方法において、
前記センタの端末が優先して応答する優先応答の顧客をあらかじめ記録し、
顧客から電話を受けた場合に前記センタの端末が塞がっているとき、この顧客の電話番号を順に待ち順番に登録する際に、この顧客が優先応答する顧客かどうかを判断し、
優先応答の顧客であると、順位の上位にこの顧客の電話番号を登録する、
ことを特徴とする電話受付け方法。
【請求項１１】
顧客からの電話を受けてセンタの端末に接続する電話受付け方法において、
顧客から電話を受けた場合に前記センタの端末が塞がっているとき、この顧客の電話番号を順に待ち順番に登録する際に、この顧客が所定回数以上電話をしたかどうかを判断し、
この顧客が所定回数以上電話をしていると、順位の上位にこの顧客の電話番号を繰り上げて登録する、
ことを特徴とする電話受付け方法。
【請求項１２】
顧客からの電話を受けてセンタの端末に接続すると共に、配電自動化システムからの事故情報を受け取る電話受付け方法において、
顧客から電話を受けた場合に前記センタの端末が塞がっているとき、この顧客の電話番号を順に待ち順番に登録する際に、この顧客の電話番号を基にして得た住所から、前記配電自動化システムから受け取った事故情報に含まれる停電地域の顧客かどうかを判断し、
この停電地域の顧客であると、順位の上位にこの顧客の電話番号を登録する、
ことを特徴とする電話受付け方法。
【請求項１３】
顧客からの電話を受けてセンタの端末に接続すると共に、配電自動化システムからの事故情報を受け取る電話受付け方法において、
顧客の電話番号を待ち順番に登録する際に、どの顧客を優先して登録するかをあらかじめ設定し、
顧客から電話を受けた場合に前記センタの端末が塞がっているとき、この顧客の電話番号を順に待ち順番に登録する際に、この顧客が所定回数以上電話をしたかどうかを判断し、
所定回数以上電話をしていると順位の上位にこの顧客の電話番号を繰り上げて登録し、
この顧客が優先応答する顧客かどうかを判断し、
優先応答の顧客であると順位の上位にこの顧客の電話番号を登録し、
この顧客の電話番号を基にして得た住所から、前記配電自動化システムから受け取った事故情報に含まれる停電地域の顧客かどうかを判断し、
この停電地域の顧客であると、順位の上位にこの顧客の電話番号を登録する、
ことを特徴とする電話受付け方法。
【発明の詳細な説明】
【技術分野】
【０００１】
この発明は、顧客からの電話に応答する電話受付けシステムおよび電話受付け方法に関する。
【背景技術】
【０００２】
企業などにはカスタマーセンタが設置されて、顧客からの電話による問い合わせなどに応答している。同じように、電力会社にも停電などの電話による各種の問い合わせに応答するカスタマーセンタが設置されている。電力会社の場合、停電が発生すると顧客からの問い合わせが集中し、顧客の電話がカスタマーセンタに通じにくくなる。
【０００３】
そこで、次のような電話サポートシステム（特許文献１参照）がある。このシステムでは、カスタマーセンタに顧客が問い合わせをする際に、まず、顧客がコンピュータや携帯電話などの端末を操作し、カスタマーセンタのサーバにサポート申し込みを行って受付け番号を取得する。その後、顧客がカスタマーセンタに電話をかけて受付け番号をプッシュボタンなどで送ると、サポート開始までの待ち時間や順番が顧客の端末に表示される。こうした電話サポートシステムにより、顧客は、どの程度待てばよいのか、また、電話をかけ直したほうがよいかが簡単に分かる。
【特許文献１】特開２００５−７２９３６号公報
【発明の開示】
【発明が解決しようとする課題】
【０００４】
しかし、先に述べた電話サポートシステムには次ぎのような課題がある。顧客は、電話によるサポートを受けようとする場合、携帯電話を使用してカスタマーセンタのサーバにサポート申し込みを行う必要がある。また、コンピュータを立ち上げて、インターネット経由でカスタマーセンタのサーバにサポート申し込みを行う必要がある。つまり、携帯電話を所有する顧客やインターネットの利用可能な顧客だけが電話サポートを受けることができ、他の顧客は電話サポートを受けることができない。
【０００５】
また、携帯電話やインターネットの利用可能な顧客でも、カスタマーセンタのサーバにサポート申し込みを行って受付け番号を取得し、その後、カスタマーセンタに電話をかけて受付け番号をプッシュボタンなどで送るという、煩雑な操作が電話サポートを受けるために必要である。
【０００６】
この発明の目的は、前記の課題を解決し、携帯電話やインターネットの利用を不要にし、かつ煩雑な操作をなくして、カスタマーセンタによる適切な応答を可能にする電話受付けシステムおよび電話受付け方法を提供することにある。
【課題を解決するための手段】
【０００７】
前記の課題を解決するために、請求項１の発明は、顧客からの電話を受けてセンタの端末に接続する電話受付けシステムにおいて、顧客の電話番号を順に登録する受付け情報記憶手段と、顧客から電話を受けた場合に前記センタの端末が塞がっているとき、この顧客の電話番号を前記受付け情報記憶手段に登録し、前記受付け情報記憶手段に蓄積されている電話番号の中で所定順位になった電話番号の電話に、前記センタの端末が応答する順位が近づいたことを知らせる音声メッセージを送る電話受付け手段とを備えることを特徴とする電話受付けシステムである。
【０００８】
請求項１の発明では、受付け情報記憶手段が顧客の電話番号を順に登録する。電話受付け手段は、顧客から電話を受けた場合にセンタの端末が塞がっているとき、この顧客の電話番号を受付け情報記憶手段に登録する。この後、電話受付け手段は、受付け情報記憶手段に登録されている電話番号の中で所定順位になった電話番号の電話に音声メッセージを送る。この音声メッセージは、センタの端末が応答する順位が近づいたことを顧客に知らせる。
【０００９】
請求項２の発明は、請求項１に記載の電話受付けシステムにおいて、前記電話受付け手段は、前記音声メッセージを送った電話を前記センタの空いた端末に接続することを特徴とする。
【００１０】
請求項３の発明は、顧客からの電話を受けてセンタの端末に接続する電話受付けシステムにおいて、前記センタの端末が優先して応答する優先応答の顧客を記録している顧客情報記憶手段と、顧客の電話番号を順に登録する受付け情報記憶手段と、顧客から電話を受けた場合に前記センタの端末が塞がっているとき、この顧客の電話番号を前記受付け情報記憶手段に登録する際に、前記顧客情報記憶手段を検索してこの顧客が優先応答する顧客かどうかを判断し、優先応答の顧客であると前記受付け情報記憶手段の順位の上位にこの顧客の電話番号を登録する電話受付け手段とを備えることを特徴とする電話受付けシステムである。
【００１１】
請求項３の発明では、センタの端末が優先して応答する優先応答の顧客を顧客情報記憶手段が記録し、受付け情報記憶手段が顧客の電話番号を順に記録する。顧客から電話を受けた場合にセンタの端末が塞がっているとき、電話受付け手段は、この顧客の電話番号を受付け情報記憶手段に記録する際に、顧客情報記憶手段を検索してこの顧客が優先応答する顧客かどうかを判断する。この顧客が優先応答する顧客である場合、電話受付け手段は受付け情報記憶手段の順位の上位にこの顧客の電話番号を登録する。
【００１２】
請求項４の発明は、顧客からの電話を受けてセンタの端末に接続する電話受付けシステムにおいて、顧客の電話番号と電話の回数とを順に登録する受付け情報記憶手段と、顧客から電話を受けた場合に前記センタの端末が塞がっているとき、この顧客の電話番号と電話の回数とを前記受付け情報記憶手段に登録する際に、前記受付け情報記憶手段を検索してこの顧客が所定回数以上電話をしたかどうかを判断し、所定回数以上電話をしていると前記受付け情報記憶手段の順位の上位にこの顧客の電話番号を繰り上げて登録する電話受付け手段とを備えることを特徴とする電話受付けシステムである。
【００１３】
請求項４の発明では、顧客から受けた電話の電話番号と電話の回数とを受付け情報記憶手段が記録する。顧客から電話を受けた場合にセンタの端末が塞がっているとき、電話受付け手段は、この顧客の電話番号と電話の回数とを受付け情報記憶手段に記録する際に、受付け情報記憶手段を検索してこの顧客が所定回数以上電話をしたかどうかを判断する。この顧客が所定回数以上電話をしていると、電話受付け手段は、受付け情報記憶手段の順位の上位にこの顧客の電話番号を繰り上げて登録する。
【００１４】
請求項５の発明は、顧客からの電話を受けてセンタの端末に接続すると共に、配電自動化システムからの事故情報を受け取る電話受付けシステムにおいて、顧客の電話番号を順に登録する受付け情報記憶手段と、顧客の電話番号および住所を記憶している顧客情報記憶手段と、顧客から電話を受けた場合に前記センタの端末が塞がっているとき、この顧客の電話番号を前記受付け情報記憶手段に登録する際に、この顧客の電話番号から前記顧客情報記憶手段を検索して得た住所から、前記配電自動化システムから受け取った事故情報に含まれる停電地域の顧客かどうかを判断し、この停電地域の顧客であると、前記受付け情報記憶手段の順位の上位にこの顧客の電話番号を登録する電話受付け手段とを備えることを特徴とする電話受付けシステムである。
【００１５】
請求項５の発明では、顧客から電話を受けた場合にセンタの端末が塞がっているとき、電話受付け手段は、配電自動化システムからの停電情報に含まれる停電地域の顧客かどうかを、顧客の電話番号を基にして判断する。電話受付け手段は、停電地域の顧客と判断すると、センタの端末が優先的に応答する顧客として、情報記憶手段の順位の上位にこの顧客の電話番号を登録する。
【００１６】
請求項６の発明は、顧客からの電話を受けてセンタの端末に接続すると共に、配電自動化システムからの事故情報を受け取る電話受付けシステムにおいて、顧客の電話番号と電話の回数とを順に登録する受付け情報記憶手段と、顧客の電話番号および住所を記憶し、かつ、前記センタの端末が優先して応答する優先応答の顧客を記録している顧客情報記憶手段と、顧客から電話を受けた場合に前記センタの端末が塞がっているとき、この顧客の電話番号を前記受付け情報記憶手段に登録する際に、前記受付け情報記憶手段を検索してこの顧客が所定回数以上電話をしたかどうかを判断し、所定回数以上電話をしていると前記受付け情報記憶手段の順位の上位にこの顧客の電話番号を繰り上げて登録し、前記顧客情報記憶手段を検索してこの顧客が優先応答する顧客かどうかを判断し、優先応答の顧客であると前記受付け情報記憶手段の順位の上位にこの顧客の電話番号を登録し、この顧客の電話番号から前記顧客情報記憶手段を検索して得た住所から、前記配電自動化システムから受け取った事故情報に含まれる停電地域の顧客かどうかを判断し、この停電地域の顧客であると、前記受付け情報記憶手段の順位の上位にこの顧客の電話番号を登録する電話受付け手段とを備え、前記電話受付け手段には、顧客の電話番号を順位の上位に登録する際に、どの顧客を優先して登録するかがあらかじめ設定されていることを特徴とする電話受付けシステムである。
【００１７】
請求項６の発明では、何回も電話をした顧客、優先応答の顧客、停電地域の顧客の電話番号を順位の上位に登録する際に、どの顧客を優先して電話受付け手段が登録するかが、この電話受付け手段にあらかじめ設定されている。この設定に従って、電話受付け手段は、顧客の状態に従って順位の上位に顧客の電話番号を登録していく。
【００１８】
請求項７の発明は、請求項３〜６のいずれか１項に記載の電話受付けシステムにおいて、前記電話受付け手段は、前記受付け情報記憶手段に蓄積されている電話番号の中で所定順位になった電話番号の電話に、前記センタの端末が応答する順位が近づいたことを知らせる音声メッセージを送ることを特徴とする。
【００１９】
請求項８の発明は、請求項７に記載の電話受付けシステムにおいて、前記電話受付け手段は、前記音声メッセージを送った電話を前記センタの空いた端末に接続することを特徴とする。
【００２０】
請求項９の発明は、顧客からの電話を受けてセンタの端末に接続する電話受付け方法において、顧客から電話を受けた場合に前記センタの端末が塞がっているとき、この顧客の電話番号を順に登録し、登録した電話番号の中で所定順位になった電話番号の電話に、前記センタの端末が応答する順位が近づいたことを知らせる音声メッセージを送ることを特徴とする電話受付け方法である。
【００２１】
請求項１０の発明は、顧客からの電話を受けてセンタの端末に接続する電話受付け方法において、前記センタの端末が優先して応答する優先応答の顧客をあらかじめ記録し、顧客から電話を受けた場合に前記センタの端末が塞がっているとき、この顧客の電話番号を順に登録する際に、この顧客が優先応答する顧客かどうかを判断し、優先応答の顧客であると、順位の上位にこの顧客の電話番号を登録することを特徴とする電話受付け方法である。
【００２２】
請求項１１の発明は、顧客からの電話を受けてセンタの端末に接続する電話受付け方法において、顧客から電話を受けた場合に前記センタの端末が塞がっているとき、この顧客の電話番号を順に登録する際に、この顧客が所定回数以上電話をしたかどうかを判断し、この顧客が所定回数以上電話をしていると、順位の上位にこの顧客の電話番号を繰り上げて登録することを特徴とする電話受付け方法である。
【００２３】
請求項１２の発明は、顧客からの電話を受けてセンタの端末に接続すると共に、配電自動化システムからの事故情報を受け取る電話受付け方法において、顧客から電話を受けた場合に前記センタの端末が塞がっているとき、この顧客の電話番号を順に待ち順番に登録する際に、この顧客の電話番号を基にして得た住所から、前記配電自動化システムから受け取った事故情報に含まれる停電地域の顧客かどうかを判断し、この停電地域の顧客であると、順位の上位にこの顧客の電話番号を登録することを特徴とする電話受付け方法である。
【００２４】
請求項１３の発明は、顧客からの電話を受けてセンタの端末に接続すると共に、配電自動化システムからの事故情報を受け取る電話受付け方法において、顧客の電話番号を待ち順番に登録する際に、どの顧客を優先して登録するかをあらかじめ設定し、顧客から電話を受けた場合に前記センタの端末が塞がっているとき、この顧客の電話番号を順に待ち順番に登録する際に、この顧客が所定回数以上電話をしたかどうかを判断し、所定回数以上電話をしていると順位の上位にこの顧客の電話番号を繰り上げて登録し、この顧客が優先応答する顧客かどうかを判断し、優先応答の顧客であると順位の上位にこの顧客の電話番号を登録し、この顧客の電話番号を基にして得た住所から、前記配電自動化システムから受け取った事故情報に含まれる停電地域の顧客かどうかを判断し、この停電地域の顧客であると、順位の上位にこの顧客の電話番号を登録することを特徴とする電話受付け方法である。
【発明の効果】
【００２５】
請求項１および請求項９の発明によれば、記録されている電話番号が所定順位になると、センタの端末が応答する順位が近づいたことを音声メッセージで顧客に知らせるので、顧客が時間を見計らって電話をかけ直す手間を省くことができ、顧客の利便性を向上することができる。また、携帯電話やインターネットを使用しなくても顧客は音声メッセージを受け取ることができ、しかも、煩雑な操作をしなくてもこの音声メッセージを受け取ることができるので、顧客の利便性をさらに向上することができる。
【００２６】
請求項２の発明によれば、音声メッセージを送った電話をセンタの空いた端末に接続するので、顧客がセンタに電話をする手間を省くことができ、顧客の利便性を向上することができる。
【００２７】
請求項３および請求項１０の発明によれば、センタに電話をしてきた顧客が優先応答の顧客である場合、順位の上位にこの顧客の電話番号を登録するので、顧客に対してセンタの端末による迅速な応答を可能にし、例えば停電になると健康に支障が発生する顧客の不安を解消することができる。しかも、携帯電話やインターネットによる登録などを不要にし、また、煩雑な操作をしなくても、待ち順位の変更を可能にする。
【００２８】
請求項４および請求項１１の発明によれば、顧客が所定回数以上電話をしている場合、順位の上位にこの顧客の電話番号を繰り上げて登録するので、例えば停電などで何回も電話をするような緊急の顧客に対してセンタの端末による迅速な応答を可能にする。しかも、携帯電話やインターネットによる登録などを不要にし、また、煩雑な操作をしなくても、待ち順位の変更を可能にする。
【００２９】
請求項５および請求項１２の発明によれば、センタに電話をしてきた顧客が停電地域の顧客である場合、順位の上位にこの顧客の電話番号を登録するので、停電中の顧客に対してセンタの端末による適切かつ迅速な応答を可能にする。しかも、携帯電話やインターネットによる登録などを不要にし、また、煩雑な操作をしなくても、待ち順位の変更を可能にする。
【００３０】
請求項６および請求項１３の発明によれば、何回も電話をした顧客、優先応答の顧客、停電地域の顧客の電話番号を順位の上位に登録する際に、どの顧客を優先して登録するかがあらかじめ設定されているので、顧客の状態に応じてセンタの端末による適切かつ迅速な応答を可能にする。
【００３１】
請求項７の発明によれば、記録している電話番号が所定順位になると、センタの端末が応答する順位が近づいたことを知らせる音声メッセージを、この電話番号に電話して送るので、顧客が時間を見計らって電話をかけ直す手間を省くことができ、顧客の利便性を向上することができる。
【００３２】
請求項８の発明によれば、音声メッセージを送った電話をセンタの空いた端末に接続するので、顧客がセンタに電話をする手間を省くことができ、顧客の利便性を向上することができる。
【発明を実施するための最良の形態】
【００３３】
次に、この発明の実施の形態について、図面を用いて詳しく説明する。
【００３４】
（実施の形態１）
図１に示すように、この実施の形態による電話受付けシステム１は、音声やデータを伝える通信網１００に接続され、電力会社のカスタマーセンタに設置されている。通信網１００には、電力の需要家である顧客を含む利用者の電話機などが接続され、図１では顧客の電話機１１０が接続されている様子が例示されている。カスタマーセンタでは、ＬＡＮ（ローカルエリアネットワーク）２を介在して受付け端末３1、…、３nが電話受付けシステム１に接続されている。受付け端末３1、…、３nは顧客からの電話に応答する、カスタマーセンタのオペレータによって操作される。
【００３５】
電話受付けシステム１は、電話受付けサーバ１１と顧客情報データベース１２と受付けデータベース１３とを備えている。顧客情報データベース１２は、電力会社の顧客に関する顧客情報を蓄積している。例えば図２に示すように、顧客情報データベース１２が蓄積している顧客情報１２Ａは、「契約番号」、顧客の「氏名」、顧客の「住所」、顧客の「電話番号」、「優先応答登録」、「契約内容」、「電話受付け履歴」を含む情報である。「契約番号」は顧客と電力会社との契約を特定するための番号である。「優先応答登録」は、顧客が停電などの際にカスタマーセンタに電話で問い合わせをしたときに、電話の待ち順番を上位へ繰り上げて優先的に受付け端末３1、…、３nが応答するかどうかを示す情報である。「優先応答登録」に登録される優先応答の顧客として、例えばペースメーカ等の医療機器を使用し、停電になると健康に支障が発生する顧客がある。「契約内容」は、電力会社と顧客との間の契約を表し、例えば従量による電力使用の契約や、深夜電力による電力使用の契約を表す情報である。「電話受付け履歴」は、顧客がカスタマーセンタなどに電話をしてきた日時や電話の内容などを表す情報である。
【００３６】
受付けデータベース１３は、カスタマーセンタへ問い合わせてきた電話の電話番号などを受付け情報として登録するものである。例えば図３に示すように、受付け情報１３Ａは、「受付け人数」、「受付け時刻」、「待ち順番」、「電話番号」、「契約番号」、「電話回数」を含む情報である。「受付け人数」はカスタマーセンタに電話をしてきた数を表し、「受付け時刻」は顧客が電話をしてきた時刻を表し、「電話番号」は電話をしてきた顧客の電話番号を表す。「契約番号」は顧客情報１２Ａの「契約番号」である。「電話回数」は同日に電話をしてきた回数を表す。
【００３７】
こうした受付け情報１３Ａでは、例えば「受付け人数」が「１」〜「４８」に対して「待ち順番」が「０」が対応し、これは４８人の顧客まではカスタマーセンタでの応答が終了したか、または応答中であることを示している。また、「受付け人数」の「４９」〜「７１」に対して「待ち順番」の「１」、…、「２３」が対応し、これは４９人目の顧客の順位が１番目であることを示し、７１人目の顧客の順位が２３番目であることを示している。なお、図３では「電話番号」、「契約番号」、「電話回数」などの例示は省略している。
【００３８】
電話受付けサーバ１１は、顧客からの電話に音声で応答するものであり、図４に示すように、ＣＰＵ（中央処理装置）１１Ａ、電話インタフェース１１Ｂ、音声自動応答部１１Ｃ、ＬＡＮインタフェース１１Ｄ、記憶部１１Ｅ、および記憶装置接続部１１Ｆを備えている。電話インタフェース１１Ｂは通信網１００からの電話を接続するための制御装置であり、ＬＡＮインタフェース１１ＤはＬＡＮ２を介在して受付け端末３1、…、３nを接続するための制御装置である。音声自動応答部１１Ｃは、ＣＰＵ１１Ａの制御により、通信網１００からの電話に応じて音声を出力する装置である。記憶装置接続部１１Ｆは、ＣＰＵ１１Ａの制御により、顧客情報データベース１２および受付けデータベース１３を接続するための制御装置である。このほかに、電話受付けサーバ１１は図示を省略しているが処理の状態を示す表示装置など各種の装置を備えている。
【００３９】
記憶部１１ＥはＣＰＵ１１Ａの行う電話受付け処理の処理手順を記憶し、ＣＰＵ１１Ａは記憶部１１Ｅの処理手順に従って電話受付けシステム１の処理を実行する。ＣＰＵ１１Ａによって行われる処理により、電話受付けシステム１は主に図５に示す機能を持つ。つまり、電話受付けシステム１は、受付け状況管理手段１１Ａ1、待ち状態管理手段１１Ａ2、待ち順番入替え手段１１Ａ3、およびリダイヤル手段１１Ａ4の機能を持つ。受付け状況管理手段１１Ａ1は顧客からの電話の受付け人数を管理し、待ち状態管理手段１１Ａ2は顧客の電話をカスタマーセンタに接続するまでの待ち人数を管理する。待ち順番入替え手段１１Ａ3は優先応答の顧客、何度か電話をしてきた顧客などの待ち順番を繰り上げるための管理をする。また、リダイヤル手段１１Ａ4は電話待ちの状態にある顧客の順番が近づいたときなどに、電力会社からの連絡を要望する顧客に電話をかける。
【００４０】
電話受付けシステム１のＣＰＵ１１Ａは受付け処理と連絡処理とを行う。受付け処理では、図６および図７に示すように、ＣＰＵ１１Ａは、電話インタフェース１１Ｂが顧客からの着信を検出すると（ステップＳ１）、ＬＡＮインタフェース１１Ｄにより受付け端末３1、…、３nに空きがあり応答可能かどうかを判断する（ステップＳ２）。応答可能であれば、ＣＰＵ１１Ａは電話インタフェース１１Ｂに着信した電話を、ＬＡＮインタフェース１１Ｄによりカスタマーセンタの空いている受付け端末に接続して、顧客からの電話を転送し（ステップＳ３）、受付け処理を終了する。
【００４１】
ステップＳ２で応答不可であれば、ＣＰＵ１１Ａは、記憶装置接続部１１Ｆを制御して受付けデータベース１３の受付け情報１３Ａを検索し、「受付け人数」を表す受付け人数情報と、最初の「受付け時刻」を表す時刻情報と、「待ち順番」の順番待ち人数を表す待ち人数情報とを取得する（ステップＳ４）。つまり、ステップＳ４では、受付け状況管理手段１１Ａ1が受付け情報１３Ａから「受付け人数」を表す受付け人数情報および最初の「受付け時刻」を表す時刻情報を取得し、待ち状態管理手段１１Ａ2が受付け情報１３Ａから「待ち順番」の順番待ち人数を表す待ち人数情報を取得する。ステップＳ４の後、ＣＰＵ１１Ａは、受付け人数情報と待ち人数情報とからカスタマーセンタが応答した人数を算出し、さらに、時刻情報を基にしてカスタマーセンタが受付けを開始した時刻から現在の時刻までの経過時間を算出し、算出したこれらの値から１人当たりの応答時間を算出し、この１人当たりの応答時間と待ち人数とから待ち時間を算出する（ステップＳ５）。
【００４２】
この後、ＣＰＵ１１Ａは音声自動応答部１１Ｃを制御して音声による受付けメッセージを出力し、電話インタフェース１１Ｂを制御して受付けメッセージを顧客の電話機に送る（ステップＳ６）。受付けメッセージは、
『ただいま電話が込み合っています』
という内容に加えて、ステップＳ５で算出した待ち時間により、
『現在の待ち時間は約○○分です』
という内容を含む。さらに、受付けメッセージは、
『お客様の順番が近づきましたら、こちらから電話させていただくことも可能です』
『お電話を希望される方は「１」を押して下さい』
『希望されない方は再度お電話いただきますようお願いいたします』
『なお、ご契約番号が分かる物をお手元にご準備いただきますようお願いいたします』
といった内容を含む。
【００４３】
ステップＳ６の後、ＣＰＵ１１Ａは、電話インタフェース１１Ｂから電話機の押下情報として「１」を受け取ると、顧客が再電話を要望したと判断し（ステップＳ７）、引き続いて次ぎの押下情報である電話番号を、電話インタフェース１１Ｂを経由して受け取る（ステップＳ８）。また、ステップＳ７で再電話の要望がなければ、ＣＰＵ１１Ａは処理をステップＳ１に戻す。ステップＳ８で顧客から電話番号を受け取ると、ＣＰＵ１１Ａは、記憶装置接続部１１Ｆを制御して受付けデータベース１３の受付け情報１３Ａを検索し、「電話回数」からこの電話番号が本日何度目の電話かを確認する（ステップＳ９）。つまり、ステップＳ９では、受付け状況管理手段１１Ａ1が受付け情報１３Ａを検索して本日何度目の電話かを確認する。ＣＰＵ１１Ａは、ステップＳ９で確認した電話回数が１回目かどうかを判断し（ステップＳ１０）、１回目の電話でなければ、記憶装置接続部１１Ｆを制御して受付け情報１３Ａの「待ち順番」の順位を繰り上げて登録し（ステップＳ１１）、受付け処理を終了する。つまり、ステップＳ１１では、待ち順番入替え手段１１Ａ3が受付け情報１３Ａの「待ち順番」の順位を繰り上げて登録する。
【００４４】
また、ステップＳ１０で１回目の電話と判断すると、ＣＰＵ１１Ａは、記憶装置接続部１１Ｆを制御して顧客情報データベース１２の顧客情報１２Ａを検索し（ステップＳ１２）、ステップＳ８で受け取った電話番号から契約番号を特定することができるかどうかを判断する（ステップＳ１３）。つまり、ステップＳ１３では、受付け状況管理手段１１Ａ1が、ステップＳ８で受け取った電話番号から顧客情報１２Ａを検索して、契約番号を特定することができるかを調べる。ステップＳ１３で契約番号の特定ができれば、ＣＰＵ１１ＡはステップＳ１２の検索結果により優先応答の顧客かどうかを判断する（ステップＳ１４）。優先応答の顧客でなければ、ＣＰＵ１１Ａは、記憶装置接続部１１Ｆを制御して、受付けデータベース１３の受付け情報１３Ａの「待ち順番」の一番最後にステップＳ８で受け取った電話番号を登録して（ステップＳ１５）、受付け処理を終了する。なお、顧客からの連絡などにより契約番号を特定することができた場合には、ステップＳ１５でこの契約番号も登録する。つまり、ステップＳ１５では、待ち状態管理手段１１Ａ2が受付け情報１３Ａの「待ち順番」の一番最後に電話番号を登録する。
【００４５】
ステップＳ１４で優先応答の顧客である判明すると、ＣＰＵ１１Ａは、記憶装置接続部１１Ｆを制御して、ステップＳ８で受け取った電話番号と、ステップＳ１３で特定することができた契約番号とを、受付けデータベース１３の受付け情報１３Ａの「待ち順番」の上位に登録して（ステップＳ１６）、受付け処理を終了する。つまり、ステップＳ１６では、待ち順番入替え手段１１Ａ3が、ステップＳ８で受け取った電話番号と、ステップＳ１２で検索して得た契約番号とを、受付け情報１３Ａの「待ち順番」の上位に登録する。
【００４６】
受付け処理が終了すると、次にＣＰＵ１１Ａは連絡処理を行う。連絡処理では、図８に示すように、ＣＰＵ１１Ａは、記憶装置接続部１１Ｆを制御して受付けデータベース１３の受付け情報１３Ａを検索し、受付け情報１３Ａの「待ち順番」の順位が１位の電話番号を抽出し（ステップＳ２１）、電話インタフェース１１Ｂを制御してこの電話番号の顧客に電話をする（ステップＳ２２）。つまり、ステップＳ２１では、待ち状態管理手段１１Ａ2が受付け情報１３Ａの「待ち順番」の順位が１位の電話番号を抽出し、リダイヤル手段１１Ａ4がこの電話番号の顧客に電話をする。ステップＳ２２の後、ＣＰＵ１１Ａは、音声自動応答部１１Ｃを制御して音声による案内メッセージを出力し、電話インタフェース１１Ｂを制御して案内メッセージを接続中の顧客の電話機に送る（ステップＳ２３）。案内メッセージは、
『△△電力カスタマーセンタです』
『お客様の順番が近づいてまいりました』
『ご契約番号が分かる場合にはご契約番号を入力し、そのままお待ちください』
『ご契約番号が分からない場合はそのままお待ちください』
といった内容を含む。
【００４７】
ステップＳ２３の後、ＣＰＵ１１Ａは、電話インタフェース１１Ｂを経て顧客の電話機から契約番号を受け取ると（ステップＳ２４）、記憶装置接続部１１Ｆを制御して顧客情報データベース１２の顧客情報１２Ａから、この契約番号を基にして「契約内容」を表す契約情報と、「電話受付け履歴」を表す電話受付け履歴情報とを抽出する（ステップＳ２５）。つまり、ステップＳ２５では、待ち状態管理手段１１Ａ2が顧客情報１２Ａから「契約内容」を表す契約情報と、「電話受付け履歴」を表す電話受付け履歴情報とを抽出する。この後、ＣＰＵ１１Ａは、電話インタフェース１１ＢおよびＬＡＮインタフェース１１Ｄを制御して、顧客につながっている電話を受付け端末３1、…、３nの中の空いている端末に転送する（ステップＳ２６）。このとき、契約番号が分かる場合には、ＣＰＵ１１Ａは受付け端末に契約情報や電話受付け履歴情報をオペレータの参照用として表示する。また、ステップＳ２４で契約番号の入力がなければ、ＣＰＵ１１ＡはステップＳ２６の処理をする。
【００４８】
ステップＳ２６の後、ＣＰＵ１１Ａは、記憶装置接続部１１Ｆを制御して、受付けデータベース１３の受付け情報１３Ａの「待ち順番」の中で、受付け端末に接続した順位「１」を順位「０」にし、また、残りの「待ち順番」の順位を順に繰り上げて「待ち順番」を更新し（ステップＳ２７）、連絡処理を終了する。つまり、ステップＳ２７では待ち状態管理手段１１Ａ2が「待ち順番」の更新を行う。
【００４９】
以上がこの実施の形態による電話受付けシステムの構成である。次にこの電話受付けシステムを用いた電話受付け方法について説明する。例えば停電が発生して、顧客が電力会社のカスタマーセンタに電話をすると、カスタマーセンタの電話受付けシステム１は、ステップＳ１〜Ｓ６の処理により、受付け端末３1、…、３nの使用状況をみて、空いている受付け端末に電話を転送し、受付け端末がすべて使用されていると、受付けメッセージを顧客の電話機に送る。顧客は、受付けメッセージを聞いて、カスタマーセンタからの電話を希望する場合には電話機の「１」を押してから電話番号を入力し、都合により電話を希望しない場合には再度カスタマーセンタへ電話する。
【００５０】
カスタマーセンタの電話受付けシステム１は、ステップＳ７〜Ｓ１１の処理により、顧客の電話機から「１」の押下情報を受け取った後、引き続いて顧客の電話番号を表す押下情報を受け取ると、この電話番号が本日の何度目の電話かを確認する。そして、１回目の電話でなければ、電話受付けシステム１は受付けデータベース１３の受付け情報１３Ａの「待ち順番」の順位を繰り上げる。何回も電話をする顧客には停電などが発生している緊急の場合があるので、この顧客からの電話を優先的にカスタマーセンタに接続する。
【００５１】
顧客の電話が１回目であると、電話受付けシステム１は、ステップＳ１２〜Ｓ１６の処理により、顧客の電話番号から契約番号を特定して優先応答の顧客かどうかを判断する。優先応答の顧客でなければ、受付けデータベース１３の受付け情報１３Ａの「待ち順番」の一番最後に顧客の電話番号と契約番号とを登録する。また、優先応答の顧客であると、電話受付けシステム１は受付け情報１３Ａの「待ち順番」の上位に顧客の電話番号と契約番号とを登録する。優先応答に登録している顧客は例えばペースメーカの使用により停電が発生すると健康に影響を及ぼすために、この顧客からの電話を優先的にカスタマーセンタに接続する。
【００５２】
この後、電話受付けシステム１は、ステップＳ２１〜Ｓ２６の処理により、受付けデータベース１３の受付け情報１３Ａの「待ち順番」の順位が１位になった顧客に対して、電話受付けシステム１から電話をして案内メッセージを顧客の電話機に送る。電話受付けシステム１は、顧客の電話機から契約番号の入力があると、この契約番号を基にして顧客情報データベース１２から契約情報や電話受付け履歴情報を抽出し、この後、受付け端末３1、…、３nの空いた受付け端末にこれらの情報を表示して、顧客の問い合わせに応答するオペレータの参照用とする。
【００５３】
順位が１位の顧客を受付け端末に接続した後、電話受付けシステム１は、受付けデータベース１３の受付け情報１３Ａの「待ち順番」を更新して、次ぎの問い合わせや受付け端末３1、…、３nの空きに備える。
【００５４】
こうしてこの実施の形態により、何回も電話をした緊急の顧客に対して、受付け情報１３Ａの「待ち順番」の順位を繰り上げて登録し、カスタマーセンタの端末３1、…、３nによる迅速な応答を可能にする。つまり、カスタマーセンタでは緊急の顧客に対応することができる。また、カスタマーセンタに電話をしてきた顧客が優先応答の顧客である場合、受付け情報１３Ａの「待ち順番」の順位を繰り上げて登録し、カスタマーセンタの受付け端末３1、…、３nによる迅速な応答を可能にする。つまり、停電になると例えば健康に支障が発生する顧客の不安を解消することができる。このように、電話受付けシステム１により、カスタマーセンタによる適切な応答を可能にすると共に、顧客による煩雑な操作を不要にすることができる。
【００５５】
さらに、電話受付けシステム１により、受付け情報１３Ａの「待ち順番」が１位になると、電話受付けシステム１が顧客に電話をして、受付け端末による応答の順番が近づいたことを顧客に連絡すると共に、契約番号の入力を顧客に促してからカスタマーセンタの受付け端末が応答するので、カスタマーセンタによる迅速な応答を可能にする。また、電話受付けシステム１から顧客に電話をかけるので、顧客が前もって登録したり、また顧客が何度も電話するなどの煩雑な操作を不要にし、電話をかけ直すにも何時になるか分からないといった顧客の不便さを解消して、顧客の利便性を向上することができる。
【００５６】
（実施の形態２）
この実施の形態では、図９に示すように、実施の形態１の電話受付けシステム１が配電自動化システム２００からの情報を用いる。配電自動化システム２００は、変電所からの高圧の配電線を監視する。配電線には開閉器などが設置され、各開閉器は配電自動化システム２００からの制御信号によって開閉する。また、例えば開閉器の間を１つの区間としている。配電線事故が発生すると、配電自動化システム２００は、事故点を含む事故区間を検出し、開閉器に制御信号を送り、事故区間を健全区間から切り離して停電区間にするなどの処理を行い、さらに、他の配電線との連系により健全区間に送電する。
【００５７】
電話受付けシステム１の電話受付けサーバ１１では、配電線事故が発生すると、通信網１００を経由してＣＰＵ１１Ａが配電自動化システム２００から事故情報を受け取る。ＣＰＵ１１Ａは受付け処理として図８および図１０に示す処理を行う。つまり、ＣＰＵ１１Ａは、図１０に示すように、事故情報を受け取ると（ステップＳ１２ａ）、ステップＳ８で受け取った顧客の電話番号とステップＳ１２で行った顧客情報１２Ａの検索結果とから顧客の住所を調べ、さらに、この住所が事故情報に含まれる停電区域の配電線により停電する停電地域に含まれるかどうかを調べて、停電地域の顧客かどうかを判断する（ステップＳ１４ａ）。ステップＳ１４ａで停電地域の顧客であると、ＣＰＵ１１Ａは、ステップＳ１６の処理により、ステップＳ８で受け取った電話番号と、ステップＳ１３で特定することができた契約番号とを、受付けデータベース１３の受付け情報１３Ａの「待ち順番」の上位に登録する。この登録の際に上位の待ち順番に登録する顧客、つまり、
何回も電話をしてきた顧客
優先応答の顧客
停電区域の顧客
の中で、最優先して登録する顧客、最優先の次に登録する顧客、さらにこの後に登録する顧客の優先順位があらかじめ決められており、ＣＰＵ１１Ａはこの優先順位に従って顧客を優先的に待ち順番の上位に登録する。
【００５８】
一方、停電地域の顧客でなければ、ＣＰＵ１１Ａは、ステップＳ１５の処理により、記憶装置接続部１１Ｆを制御して、受付けデータベース１３の受付け情報１３Ａの「待ち順番」の一番最後にステップＳ８で受け取った電話番号を登録する。
【００５９】
こうして、この実施の形態により、あらかじめ設定した優先順位に従って緊急に連絡する顧客を順に登録するので、顧客の状態に応じたカスタマーセンタによる適切かつ迅速な応答を可能にする。
【００６０】
以上、この発明の実施の形態１、２を詳述してきたが、具体的な構成はこの実施の形態に限られるものではなく、この発明の要旨を逸脱しない範囲の設計の変更等があっても、この発明に含まれる。例えば、顧客情報データベース１２および受付けデータベース１３を別装置としたが、電話受付けサーバ１１に組み入れてもよい。また、実施の形態１、２では、受付け情報１３Ａの「待ち順番」の順位が１位の電話番号を抽出して、この電話番号の顧客に電話をしたが、電話をする順位はこれに限定されることはく、オペレータが応答するまでに顧客がある程度余裕をもつ順位であってもよい。さらに、実施の形態２では、配電自動化システム２００は通信網１００を経由して電話受付けシステム１の電話受付けサーバ１１に事故情報を送ったが、配電自動化システム２００と電話受付けサーバ１１とを通信線で接続して、配電自動化システム２００が電話受付けサーバ１１に事故情報を直接送ってもよい。
【図面の簡単な説明】
【００６１】
【図１】この発明の実施の形態１による電話受付けシステムの使用状態を説明する説明図である。
【図２】顧客情報の一例を示す図である。
【図３】受付け情報の一例を示す図である。
【図４】電話受付けサーバを示す構成図である。
【図５】電話受付けサーバの機能を示す図である。
【図６】ＣＰＵによる受付け処理を示すフローチャートである。
【図７】ＣＰＵによる受付け処理を示すフローチャートである。
【図８】ＣＰＵによる連絡処理を示すフローチャートである。
【図９】この発明の実施の形態２による電話受付けシステムの使用状態を説明する説明図である。
【図１０】実施の形態２による受付け処理を示すフローチャートである。
【符号の説明】
【００６２】
１  電話受付けシステム
１１  電話受付けサーバ（電話受付け手段）
１１Ａ  ＣＰＵ
１１Ａ1  受付け状況管理手段
１１Ａ2  待ち状態管理手段
１１Ａ3  待ち順番入替え手段
１１Ａ4  リダイヤル手段
１１Ｂ  電話インタフェース
１１Ｃ  音声自動応答部
１１Ｄ  ＬＡＮインタフェース
１１Ｅ  記憶部
１１Ｆ  記憶装置接続部
１２  顧客情報データベース（顧客情報記憶手段）
１２Ａ  顧客情報
１３  受付けデータベース（受付け情報記憶手段）
１３Ａ  受付け情報
２  ＬＡＮ
３1、…、３n  受付け端末
１００  通信網
１１０  電話機
２００  配電自動化システム
【図１】
2007201849.tif 000003
【図２】
2007201849.tif 000004
【図３】
2007201849.tif 000005
【図４】
2007201849.tif 000006
【図５】
2007201849.tif 000007
【図６】
2007201849.tif 000008
【図７】
2007201849.tif 000009
【図８】
2007201849.tif 000010
【図９】
2007201849.tif 000011
【図１０】
2007201849.tif 000012